(57)【特許請求の範囲】
【請求項１】
断熱箱体製の冷却庫本体の前面開口部に断熱扉が縦軸回りの揺動開閉可能に装着され、かつ前記冷却庫本体の下面側に機械室が設けられてなる冷却庫であって、前記機械室の上部の正面位置に装着開口が設定されたものにおいて、
操作部、表示部等が備えられた操作パネルが、前記装着開口を覆うようにして取り付けられており、前記操作パネルの左右に前記装着開口の操作パネルで覆われない部分を覆うカバーパネルが設けられており、
前記装着開口の上縁に沿って前記断熱扉を支持するヒンジ部材を設けたフレームが配設され、前記フレームは、前記ヒンジ部材を備えた上面板の手前側の延出端が下向きに直角曲げされた前板部を形成しており、前記前板部の垂下端が奥側に直角曲げされた形状の掛止部を形成するとともに、
前記操作パネルの上端側に手前側に突出して、前記掛止部に吊り下げ状態に支持可能とされる被掛止部が設けられ、該被掛止部の前縁から立ち上がり、取り付けられた状態では前記前板部と当接する立ち上がり板部が設けられており、
前記カバーパネルは前記操作パネルと一体になって組み付けられてユニット化されており、
前記立ち上がり板部と前記カバーパネルは組み付けられた際に略面一となっており、
前記操作パネルの周縁部には、前記装着開口の対応する周縁部にねじ止めされる取付板が設けられていることを特徴とする操作パネル取付構造。
【請求項２】
前記掛止部は、前記被掛止部に対して水平方向の摺動可能に掛止するようになっていることを特徴とする請求項１記載の機器の操作パネル取付構造。
【請求項３】
前記機械室は内部に水平な仕切板が張られることにより上下２室に仕切られて、上方室の前面開口が前記装着開口となっており、前記操作パネルの下縁側に前記取付板が設けられて、この取付板が、前記装着開口の下縁部を構成する前記仕切板の前面にねじ止め可能となっていることを特徴とする請求項１または請求項２記載の機器の操作パネル取付構造。
【請求項４】
前記機械室における下方室の前面開口には、前記フレームと略面一に前面パネルが装着されており、前記操作パネルは、前記フレームと前記前面パネルの上面との間のスペースにおいて、同操作パネルの表面が、前記フレーム並びに前記前面パネルの表面よりも奥に退避した形態で装着されていることを特徴とする請求項３記載の機器の操作パネル取付構造。
【発明の詳細な説明】
【技術分野】
【０００１】
本発明は、冷却庫等の機器に装備される操作パネルの取付構造に関する。
【背景技術】
【０００２】
急速冷却庫は、加熱調理した食品を細菌が繁殖しない低温まで急速冷却し、その後の保存に供するために使用されるものであって、例えば冷却中は、庫内温度を設定温度に維持するように冷凍装置の運転を制御し、一方、食品の内部温度（芯温）を検出して、同検出温度が芯温の設定温度まで下がったら冷凍装置を停止するといった使い方がなされる。そのためこの種の急速冷却庫では、庫内温度や芯温の設定温度を入力する操作部や、それらを表示する表示部を有する操作パネルが備えられ、操作のしやすさや表示部の目視のしやすさを考慮して、例えば機械室の正面に装着されている（例えば、特許文献１参照）。
【特許文献１】特開２００１−２３５２６７公報
【発明の開示】
【発明が解決しようとする課題】
【０００３】
上記した操作パネルの取付構造はより具体的には、機械室内に装備された電装箱との間の電気配線等を考慮し、機械室の正面の所定位置に装着開口を設けて同装着開口を覆うようにして操作パネルを当て、操作パネルの周縁部を装着開口の対応する周縁部にねじで止めて固定している。一方、操作パネルは、操作部の操作ボタンの数が増えて取付スペースに多くを要するようになったり、漏電遮断器等の電気部品を組み込んでユニット化する等により、図らずも大型化かつ高重量化する傾向にあり、そうすると、操作パネルをねじ止めに適した位置に一方の手で支えつつ、もう一方の手でねじ止めするといった作業がし辛くなり、その対策が切望されていた。  
本発明は上記のような事情に基づいて完成されたものであって、その目的は、操作パネルの取付作業を簡単に行えるようにするところにある。
【課題を解決するための手段】
【０００４】
本発明に係る機器の操作パネル取付構造は、操作部、表示部等が備えられた操作パネルが、機器の正面に設けられた装着開口を覆うようにして取り付けられたものであって、前記装着開口の上縁には、前記操作パネルの上端側に設けられた被掛止部に掛止して、当該操作パネルを吊り下げ状態に支持可能な掛止部が設けられるとともに、前記操作パネルの周縁部には、前記装着開口の対応する周縁部にねじ止めされる取付板が設けられているところに特徴を有する。
【０００５】
この構成によれば、操作パネルを取り付ける場合は、被掛止部を掛止部に掛止して吊り下げ支持したのち、取付板を装着開口の対応する周縁部にねじ止めして固定する。操作パネルを吊り下げ支持できるようにしたから、操作パネルが比較的重い場合であっても、一方の手で操作パネルを正規位置に支持しつつ、もう一方の手でねじ止め作業を行うことができる。一人での装着作業が可能となって、作業性に優れたものとなる。
【０００６】
また、以下のような構成としてもよい。  
（１）前記掛止部は、前記被掛止部に対して水平方向の摺動可能に掛止するようになっている。操作パネルを掛止部に沿って水平方向に移動させつつ、ねじ止めに適した位置に位置合わせすることができる。
【０００７】
（２）前記機器が、断熱箱体製の冷却庫本体の前面開口部に断熱扉が縦軸回りの揺動開閉可能に装着され、かつ前記冷却庫本体の下面側に機械室が設けられてなる冷却庫であって、前記機械室の上部位置に前記装着開口が設定されたものにおいて、前記装着開口の上縁に沿って前記断熱扉を支持するヒンジ部材を設けたフレームが配設され、このフレームに前記掛止部が形成されている。  
冷却庫における機械室の正面の上部位置に設定された装着開口に操作パネルを取り付ける場合は、被掛止部をフレームに形成された掛止部に掛止して吊り下げ支持したのち、取付板を装着開口の対応する周縁部にねじ止めして固定する。掛止部を既存のフレームに形成するようにしたから、構造が簡単に留まる。
【０００８】
（３）前記フレームは、前記ヒンジ部材を備えた上面板の手前側の延出端が下向きに直角曲げされたのち、その垂下端が奥側に直角曲げされた形状になり、この奥側に直角曲げされた部分によって前記掛止部が形成されている。フレームについて簡単な曲げ加工を施すことで、掛止部を形成することができる。  
（４）前記機械室は内部に水平な仕切板が張られることにより上下２室に仕切られて、上方室の前面開口が前記装着開口となっており、前記操作パネルの下縁側に前記取付板が設けられて、この取付板が、前記装着開口の下縁部を構成する前記仕切板の前面にねじ止め可能となっている。装着開口に操作パネルを取り付ける場合は、被掛止部をフレームに形成された掛止部に掛止して吊り下げ支持したのち、取付板を仕切板の前面にねじ止めして固定する。
【０００９】
（５）前記機械室における下方室の前面開口には、前記フレームと略面一に前面パネルが装着されており、前記操作パネルは、前記フレームと前記前面パネルの上面との間のスペースにおいて、同操作パネルの表面が、前記フレーム並びに前記前面パネルの表面よりも奥に退避した形態で装着されている。操作パネルの表面に、不必要に異物が触れることが極力回避される。
【発明の効果】
【００１０】
本発明によれば、操作パネルの取付作業を能率良く行うことができる。
【発明を実施するための最良の形態】
【００１１】
＜実施形態＞
以下、本発明の一実施形態を図１ないし図１７に基づいて説明する。この実施形態では、急速冷却庫に適用した場合を例示している。  
本実施形態の急速冷却庫は、図１に示すように、機械室１１の上面に冷却庫本体１０（以下、単に本体１０という）が載置され、機械室１１の底面に配された脚１２によって支持されている。  
本体１０は前面が開口された縦長の断熱箱体からなり、同本体１０の前面開口部１３には、断熱扉１４（図２）が、正面から見た左側縁を中心として揺動開閉可能に装着されている。本体１０の内部すなわち庫内では、図２及び図３に示すように、正面から見た右側の６割程度の領域が、食品の収納室１５とされ、残りの左側の領域が、冷却ユニット２０の設置室１６となっている。
【００１２】
冷却ユニット２０は、冷却器２１と２個の冷却ファン２２とを組み付けてユニット化したものである。冷却器２１は、庫内の高さよりも若干低い高さ寸法と、同庫内の奥行きの半分強の幅とを持った縦長のブロック状に形成され、収納室１５側の面と、反対側の面の両面に開口部を設けた冷却器カバー２３に収められている。一方、冷却ファン２２は、ファンケース２４内に縦方向に２個並んで装置されており、同ファンケース２４が、冷却器カバー２３の正面側に揺動開閉可能に取り付けられることで、冷却ユニット２０が形成されている。冷却ユニット２０では、冷却器２１の直前において２個の冷却ファン２２が上下に並んで配された状態となる。  
このような冷却ユニット２０が庫内の左側の設置室１６に設置され、より詳細には、庫内の高さ方向並びに奥行方向のほぼ中央部において、冷却器カバー２３の背面（収納室１５とは反対側の面）と庫内の左側壁１０Ｌとの間に所定の間隔を開けた形態で設置されている。
【００１３】
庫内右側の収納室１５には、ホテルパン等のトレイＴが複数段にわたり、前方から出し入れされて収納可能となっている。そのため、収納室１５の左右の側面となる冷却ユニット２０におけるファンケース２４の正面板２４Ａと、庫内の右側壁１０Ｒとには、一対のトレイ受け２５が対向して取り付けられるようになっている。  
トレイ受け２５はステンレス鋼線等の線材を素材として形成され、大まかには、縦長の長方形をなす枠体２６を有し、両縦枠の間に載置棒２７が一定のピッチで複数段（図示１２段）にわたって差し渡されているとともに、枠体２６の四隅の位置に、縦長の環形をなす取付部２８が形成されている。
【００１４】
一方、ファンケース２４の正面板２４Ａと、庫内の右側壁１０Ｒとには、それぞれ対応する４箇所に取付具２９が取り付けられていて、各トレイ受け２５は、四隅の取付部２８を対応する取付具２９に掛止することにより、収納室１５の左右の側面に対向した形態で着脱可能に取り付けられるようになっている。そしてトレイＴは、図２に示すように、左右のフランジを同じ段で対向した載置棒２７に載せつつ、前方から出し入れされて収納されるようになっている。
【００１５】
次に、機械室１１の構造について説明する。機械室１１は、本体１０の半分強の高さを持って形成されており、図４に示すように、底板３１の四隅からアングル材やチャンネル材からなる柱３２が立てられることでシャーシ３０が形成され、各柱３２の上端が、本体１０の外底面の四隅に結合されている。なお、底板３１の下面の四隅に、上記した脚１２が取り付けられている。このシャーシ３０の背面並びに左右の側面にパネル６５，６７が張られることで、機械室１１が形成されている。  
機械室１１内には、全高の約３／４の高さ位置において、仕切板３５が水平姿勢で張られており、上方室４０Ｕと下方室４０Ｄとに分けられている。仕切板３５の手前側の端縁には、図１５にも示すように、ほぼ全幅にわたって下向きのフランジ３６が形成されている。フランジ３６の下縁には、奥側に直角曲げされた屈曲部３７が形成され、補強が図られている。なお、仕切板３５における背面側の端部の幅方向の中央位置には、方形の切欠部３８が形成されている。
【００１６】
図５に示すように、下方室４０Ｄ内には主に冷凍装置４５が設置されており、前面開口に臨んで空冷式の凝縮器４６が、その直後に凝縮器ファン４７が設置され、さらにその後方に圧縮機４８が設置されている。  
図７に示すように、凝縮器４６の前面の上縁と仕切板３５の前端との間、並びに同じく凝縮器４６の前面の左側縁と、シャーシ３０の一部を構成する左手前の柱３２との間には、それぞれ補強板５０，５５がわたされて装着されている。  
凝縮器４６の上側に配される上補強板５０は、凝縮器４６の横幅よりも少し小さい長さを持ち、かつ図１５に示すように、上部５１Ｕ側が奥に引っ込んだ段差状に形成されている。この上補強板５０の下部５１Ｄが、凝縮器４６の上面カバー４６Ａの手前側の面に沿って当てられて、左右方向に間隔を開けて設けられた図示３箇所においてねじ５２により固定されているとともに、上部５１Ｕが、上記した仕切板３５の前縁のフランジ３６に当てられ、同じく図示３箇所においてねじ５３により固定されるようになっている。
【００１７】
左補強板５５は、やや幅広で、凝縮器４６の高さに匹敵する高さを有する縦長の平板状に形成されており、その右側縁が、凝縮器４６における左エンドプレート４６Ｂの手前側のフランジの裏側に当てられて、上下２箇所でねじ５６で止められて固定され、左側縁が、左手前の柱３２の正面に当てられて、同じく上下２箇所でねじ５７で止められて固定されている。  
このように、上補強板５０と左補強板５５とを装着したことによって、シャーシ３０の補強、特に左右方向からの荷重に対して補強することに有効となる。また、凝縮器４６の上側と左側の隙間が詰められることなって、ショートサイクルの防止にも有効となる。
【００１８】
下方室４０Ｄの前面開口には、図８に示すように、図示３個の吸気口６１を横方向に並べて設けた前面パネル６０が着脱可能に装備されている。この取付構造については後述する。機械室１１の背面パネル６５には、図６に示すように、下方室４０Ｄの底面から所定寸法上がった位置から上方室４０Ｕの天井面に亘って、ほぼ全幅に開口してなる排気口６６が形成されているとともに、下方室４０Ｄの左右の側面を構成する側面パネル６７における背面側に寄った位置には、複数の縦向きのスリットを並べてなる補助排気口６６Ａが形成されている。
【００１９】
この下方室４０Ｄ内に設置された冷凍装置４５と、上記した冷却ユニット２０に装備された冷却器２１とが、冷媒管６８で循環接続されて冷凍回路が構成されている。より具体的には、冷却器２１に対して出し入れされる冷媒管６８が、設置室１６の背面壁に開口された貫通孔６９を通して並んで背面側に突出されたのち下方に曲げられ、その下端がさらに手前側に屈曲されて上方室４０Ｕ内から切欠部３８を通して下方室４０Ｄに導入され、冷凍装置４５に対して出し入れされる冷媒管６８と接続されている。
【００２０】
冷却運転は、冷凍装置４５（圧縮機４８）と冷却ファン２２とが駆動されることで行われ、図３の矢線に示すように、収納室１５の空気がファンケース２４を通って冷却ユニット２０内に吸引されて冷却器２１を通過する間に冷気が生成され、冷却ユニット２０の背面側に吹き出された冷気が、庫内の左側壁１０Ｌに当たって手前と奥に分かれて同冷却ユニット２０の手前側と奥側の側面に回り込んだのち、一部が右側壁１０Ｒ側まで流通しつつ収納室１５に送り込まれるといった循環流を生じ、これによりトレイＴに入れられた食品が急速冷却されるようになっている。
【００２１】
この間、冷却ユニット２０の奥側の側面に設けられた庫内温度センサ７０（図３参照）により庫内温度が検出され、その検出温度と、予め定められた庫内設定温度との比較に基づいて冷凍装置４５がオンオフされ、庫内がほぼ設定温度に維持される。  
一方、収納された食品には、芯温センサ７１が差し込まれて同食品の芯温（内部温度）が検出され、その検出温度が、予め定められた芯温の設定温度まで低下したら、所定の急速冷却が完了したと見なされて、冷却運転が停止されるようになっている。なお、運転モードの選択によっては、急速冷却された食品を冷蔵または冷凍状態に保存する保冷運転に切り替わるようになっている。
【００２２】
そのため、機械室１１の上方室４０Ｕ内には、当該急速冷却庫の各種制御運転を実行するべく制御装置や各種電装品を格納した電装箱７３が設置されているとともに、この電装箱７３の側方には、冷却ファン２２の回転数を制御するためのインバータを格納したインバータボックス７４が、下部側を仕切板３５を貫通して下方室４０Ｄ内に臨ませた状態で設置されている。  
この上方室４０Ｕの前面開口４１（本発明の装着開口に相当）には、操作パネル８０が着脱可能に装着されており、この操作パネル８０において、運転モードの設定や庫内温度の設定等が行われ、それらが表示されるようになっている。
【００２３】
続いて、操作パネル８０とその取付構造について、下方室４０Ｄの前面パネル６０の取付構造と併せて説明する。  
先に前面パネル６０の構造を説明する。前面パネル６０は、図５に示すように、後面に開口したやや横長の角形をなす浅皿状に形成されており、その正面には、上記したように３個の角形の吸気口６１が横方向に並んで開口され、各吸気口６１には、ルーバ６２が抜き差し可能に装着されている。  
下面板７５の奥縁からは、図８に示すように、取付板７５Ａが下向きに直角曲げされて形成され、ねじ７６の挿通孔が左右に２個並んで形成されている。また図９に示すように、上面板７７の左右両端部には、それぞれ支持孔７８が形成されており、これらの支持孔７８は、いわゆるだるま孔と称されるものであって、大径部７９Ａと小径部７９Ｂとを互いに連通させて左右に並べて配した形状となっている。そして、後記する皿小ねじからなる吊り下げ支持用の支持ねじ１３５（図１３参照）に対し、大径部７９Ａでは頭部１３６の挿通を許容し、小径部７９Ｂでは同頭部１３６の抜けが規制されるようになっている。
【００２４】
操作パネル８０の配設構造を大まかに説明する。図１及び図１５に示すように、上記した本体１０の前面開口部１３の下縁部、言い換えると、機械室１１の上方室４０Ｕの前面開口４１の上縁に沿うようにして、支持フレーム１２０が水平姿勢で取り付けられ、その左端部の上面に、上記した断熱扉１４の左側縁の下端を支持するヒンジピン１２１が突設されている。またこの支持フレーム１２０は、図５に示すように、下方室４０Ｄの前面開口に装着された前面パネル６０とほぼ面一となるまで手前側に張り出しているとともに、支持フレーム１２０と前面パネル６０の上面との間のスペースの左右両端部が、カバーパネル１１０で埋められ、これらの間に操作パネル８０の装着凹部８１が構成されている。そして操作パネル８０は、上端側が奥側に引っ込んだ斜め姿勢を取って、装着凹部８１内に収納されるようになっている。
【００２５】
操作パネル８０は、図１０及び図１１に示すように、金属板製のパネル本体８５を備えている。このパネル本体８５は、前面パネル６０の上面板７７のほぼ全域を覆うように配される横長の底板８６を有し、この底板８６の前縁における間口方向の中央部から、同底板８６よりも間口方向の寸法が小さい正面板８７が、上縁を奥側に向けて引っ込ませた斜め姿勢で立ち上がり形成されている。その正面から見た右端寄りの位置には操作部８８が、その左側には表示部８９がそれぞれ設定されている。
【００２６】
操作部８８では、各種操作ボタン９４（図１２参照）が臨むボタン用窓９１と、発光ダイオード９５が臨むダイオード用窓９２とが所定の配列で開口されており、裏側には、操作ボタン９４や発光ダイオード９５が対応した配列で設けられた操作ボタン用基板９３が取り付けられている。  
一方、表示部８９では、やや横長の角形をなす表示窓９６が開口されており、裏側に、蛍光表示管等の表示装置９７が取り付けられている。  
また、正面板８７の左端部には、漏電遮断器（図示せず）を装着するための装着孔９８が開口されている。  
また本実施形態では、冷却運転の履歴等をプリントアウントするべくプリンタが、オプションによって接続されるようになっており、上記した操作部８８における右端位置には、プリンタから引き出された接続コードを接続するべくコネクタを嵌着するための装着孔９９が開口されている。
【００２７】
一方、パネル本体８５の正面板８７における操作部８８と表示部８９の領域にわたって、図１４に示すようにラベル１００が貼られており、同ラベル１００には、操作部８８側では、ボタン用窓９１と対応した位置には、ボタンのマーク１０１が文字情報とともに印刷等によって形成されているとともに、ダイオード用窓９２と対応した位置に透孔部１０２が形成されている。表示部８９側では、表示窓９６と対応した位置に窓孔１０３が開口されている。  
なお、オプションによって装着孔９９にコネクタが嵌着された場合は、同コネクタを挿通するべく挿通開口が形成されるようになっている。
【００２８】
パネル本体８５の正面板８７の上縁からは、上面板１０５が手前側に庇状に突出して形成され、同上面板１０５の前縁には立ち上がり板１０６が形成されているとともに、左右の側縁から、側面板１０７が立ち上がり形成されている。また、正面板８７の左右の側縁には、取付板１０８が奥側に直角曲げされて形成されている。  
また、上記した左右一対のカバーパネル１１０は、パネル本体８５と一体に組み付けられてユニット化され、操作パネル８０と一体的に着脱できるようになっている。  
カバーパネル１１０は、背面側が開口した角筒状に形成されており、各カバーパネル１１０は、パネル本体８５の底板８６における正面板８７から左右に張り出した端部上に載せられ、図１２に示すように、下縁に設けられた取付フランジ１１１を張出部８６Ａにねじ止めし、また内側の側板１１２を、正面板８７の左右の取付板１０８並びに側面板１０７にねじ止めすることで固定されている。
【００２９】
操作パネル８０の取付構造は以下のようである。  
上記した支持フレーム１２０は、図１５に示すように、下面開口の横長の箱状に形成され、後面板１２３の下端が長く延ばされており、この後面板１２３が、本体１０の前面開口部１３の下縁に沿って当てられ、補強ブラケット１２４を介してボルト１２５を締め付けることで固定されている。操作パネル８０の取付状態では、パネル本体８５における上面板１０５の前縁の立ち上がり板１０６と、カバーパネル１１０の正面の上端部とが、支持フレーム１２０の前面板１２６の裏面に当てられるようになっている。  
そして、この支持フレーム１２０の前面板１２６の下縁における間口方向の中央部には、パネル本体８５の正面板８７の間口寸法よりも少し短い領域において、奥側に直角曲げされた短寸の掛止部１２７が形成されている。したがってこの掛止部１２７には、被掛止部１０５Ａであるパネル本体８５の上面板１０５の前縁部が掛止可能となっている。
【００３０】
パネル本体８５の底板８６の奥縁には、下向きに直角曲げされた取付板１０９が形成されている。この取付板１０９には、図示５個のねじ５３の挿通孔１３１Ａ，１３１Ｂが、横方向に間隔を開けて並んで形成されており、中央側の３個の大径の挿通孔１３１Ａは、図１５に示すように、上記した上補強板５０の上部５１Ｕに設けられたねじ５３の挿通孔１３２、並びに仕切板３５の前面のフランジ３６における中央部に形成されたねじ孔１３３と整合して形成されている。  
両端の小径の挿通孔１３１Ａは、仕切板３５のフランジ３６の両端部に形成されたねじ孔（図示せず）と整合して形成されている。なお、このねじ孔は、柱３２の正面板に設けられたねじ５３の挿通孔１３４の裏側に位置している。
【００３１】
下方室４０Ｄの前面パネル６０の取付構造は以下のようである。操作パネル８０のパネル本体８５の底板８６における両端の張出部８６Ａには、前面パネル６０の上面板７７に形成された各支持孔７８に嵌合される皿小ねじからなる支持ねじ１３５が下面側から螺着されており、すなわち同支持ねじ１３５の頭部１３６が張出部８６Ａの下面側に突出して設けられている。  
また、前面パネル６０の下面板７５の奥縁に設けられた取付板７５Ａが、機械室１１の底板３１の前面３１Ａに当てられるようになっていて、この底板３１の前面３１Ａにねじ孔１３７が形成されている（図７）。
【００３２】
本実施形態は上記のような構造であって、操作パネル８０並びに下方室４０Ｄの前面パネル６０の取付手順の一例を説明する。  
まず、凝縮器４６の前面の左側方と上方とに、それぞれ左補強板５５と上補強板５０とが取り付けられる。ここで左補強板５５は既述した要領で固定されるのに対して、上補強板５０については、図１５に示すように、下部５１Ｄのみが凝縮器４６の上面カバー４６Ａにねじ５２で固定され、上部５１Ｕは仕切板３５の前面のフランジ３６に当てられるのに留められる。  
この状態から、同図に示すように、左右のカバーパネル１１０を一体に組み付けた操作パネル８０の上部が、支持フレーム１２０の下面側に入れられ、操作パネル８０を次第に起こしながら、図１６に示すように、上面板１０５の前縁の立ち上がり板１０６を、支持フレーム１２０の前面板１２６の裏側に当てると、上面板１０５の前縁部である被掛止部１０５Ａが、支持フレーム１２０の掛止部１２７に掛止された状態となる。
【００３３】
ここで併せて、操作パネル８０の下縁に設けられた取付板１０９が、仮止めされた上補強板５０の上部５１Ｕの表面に重なるから、操作パネル８０を掛止部１２７に沿って左右に摺動させつつ、取付板１０９における中央部の３個の挿通孔１３１Ａが上補強板５０の挿通孔１３２を通し、また両端部の挿通孔１３１Ｂが柱３２の正面板の挿通孔１３４をそれぞれ通して、仕切板３５のフランジ３６のねじ孔１３３と整合するように位置合わせする。そうしたら中央部では、取付板１０９の挿通孔１３１Ａから上補強板５０の挿通孔１３２にねじ５３を通し、また両端部では、取付板１０９の挿通孔１３１Ｂから柱３２の挿通孔１３４にねじ５３を通し、それぞれ対応する仕切板３５のフランジ３６のねじ孔１３３に螺合して締め付ける。これにより、いわゆる共締めされて、操作パネル８０の下縁の取付板１０９が、上補強板５０の上部５１Ｕまたは柱３２の正面板を挟んで、仕切板３５の前面のフランジ３６に固定される。  
このとき、操作パネル８０は、掛止部１２７に掛止されて吊り下げ状態に支持されているから、作業者は、一方の手を操作パネル８０の底部等に添えて正規の位置に支持しながら、もう一方の手でねじ５３をねじ込む作業を行うことができる。
【００３４】
操作パネル８０がカバーパネル１１０ともども装着されると、続いて下方室４０Ｄの前面パネル６０が取り付けられる。操作パネル８０（カバーパネル１１０）が装着された状態では、カバーパネル１１０の底面から、支持ねじ１３５の頭部１３６が突出した状態にある。前面パネル６０は、上面板７７に形成された支持孔７８の大径部７９Ａを、対応する支持ねじ１３５の頭部１３６に通し、続いて前面パネル６０を正面から見た左側に移動させると、支持ねじ１３５が小径部７９Ｂ側に移動し、小径部７９Ｂの口縁が支持ねじ１３５の頭部１３６に掛止することで、前面パネル６０が同じく吊り下げ状に支持される。このとき、前面パネル６０の下端の取付板７５Ａは、ねじ７６の挿通孔とねじ孔１３７とが整合した状態で、機械室１１の底板３１の前面３１Ａに当てられるから、ねじ７６をねじ孔１３７にねじ込むことで固定される。  
前面パネル６０の上部側は、支持ねじ１３５の頭部１３６が、だるま孔状の支持孔７８に嵌って支持されているだけであるが、特にだるま孔状の支持孔７８を横向きとしたから、同だるま孔を前後方向（縦向き）に形成した場合と比較すると、振動等を受けた場合に前面パネル６０の上端側が手前に倒れることを確実に防止できる。
【００３５】
このように前面パネル６０が装着されると、機械室１１の上方室４０Ｕの前面側において、支持フレーム１２０、前面パネル６０及び左右のカバーパネル１１０の間によって装着凹部８１が形成され、この装着凹部８１内に、操作パネル８０が、上端側が奥側に引っ込んだ斜め姿勢を取って装着された状態となる。  
一方、操作パネル８０を外す場合は、上記とは逆の手順により、まず下方室４０Ｄの前面パネル６０を外したのち、下端の取付板１０９を固定していたねじ５３を外し、上端を奥側に傾けて上面板１０５の掛止部１２７を、支持フレーム１２０の掛止部１２７から外し、引き続いて左右のカバーパネル１１０ともども、手前側に外せばよい。
【００３６】
以上のように本実施形態によれば、操作パネル８０は左右のカバーパネル１１０を含めて大型でかつ比較的重量の重いものとなるが、同操作パネル８０は、支持フレーム１２０に設けられた掛止部１２７に掛止して吊り下げ支持できるようにしたから、一方の手で操作パネル８０を正規位置に支持しつつ、もう一方の手でねじ止め作業を行うことが可能となる。すなわち、作業者一人での装着作業が可能となって、作業性に優れたものとなる。さらに、操作パネル８０を支持フレーム１２０に沿って摺動させつつ位置決めできるから、位置決め作業も簡単に行うことができる。  
掛止部１２７については、既存の支持フレーム１２０に設けられ、しかも同支持フレーム１２０の前面板１２６の下端を奥側に直角曲げするだけで形成されているから、掛止部１２７を設ける当たって安価に対応することができる。
【００３７】
操作パネル８０は、機械室１１の上方室４０Ｕの前面に設けられた装着凹部８１内に収納された形態で配されているから、操作パネル８０の表面に不必要に異物が触れることが極力回避される。また同操作パネル８０は、上端が奥に後退した斜め姿勢で配されているから、操作部８８における操作、並びに表示部８９の目視がしやすいものとなる。
【００３８】
＜他の実施形態＞
本発明は上記記述及び図面によって説明した実施形態に限定されるものではなく、例えば次のような実施形態も本発明の技術的範囲に含まれる。  
（１）上記実施形態では、操作パネルが掛止部に沿って摺動できるようになっているが、摺動できない構造であってもよい。  
（２）操作パネルの被掛止部に掛止する掛止部は、ヒンジピンを設けた支持フレームとは別に備えられた部材に設けるようにしてもよい。  
（３）操作パネルをねじ止めするべく取付板は、上記実施形態に例示した下縁以外の他の周縁に設けてもよい。
【００３９】
（４）カバーパネルは、操作パネルとは別に取り付けられるようになっていてもよい。
（５）本発明は、機械室が冷却庫本体の下方に配されたものに限らず、側方等の他の方向に隣接して設けられたものにも適用可能である。  
（６）本発明は、上記実施形態に例示した急速冷却庫に限らず、冷蔵庫、冷凍庫等の冷却庫全般に適用でき、さらに冷却庫に限らず、操作部、表示部等が備えられた操作パネルが、機器本体の正面に設けられた装着開口を覆うようにして取り付けられるもの全般に広く適用することができる。
【図面の簡単な説明】
【００４０】
【図１】本発明の一実施形態に係る急速冷却庫の断熱扉を外した状態の斜視図
【図２】庫内構造を示す正面図
【図３】同平断面図
【図４】機械室のシャーシの構造を示す斜視図
【図５】機械室の一部切欠側面図
【図６】その背面図
【図７】機械室の前面パネルを外した状態の正面図
【図８】前面パネルが装着された状態の正面図
【図９】前面パネルの平面図
【図１０】パネル本体の正面図
【図１１】同側面図
【図１２】操作パネルの平面図
【図１３】その側断面図
【図１４】ラベルの正面図
【図１５】操作パネルの取付前の状態の側断面図
【図１６】その取付後の状態の側断面図
【図１７】前面パネルが取り付けられた状態の側断面図
【符号の説明】
【００４１】
１０…冷却庫本体  １１…機械室  １３…前面開口部  １４…断熱扉  ３５…仕切板  ３６…（仕切板３５の前面の）フランジ  ４０Ｕ…上方室  ４０Ｄ…下方室  ４１…（上方室４０Ｕの）前面開口（装着開口）  ５３…ねじ  ７３…電装箱  ８０…操作パネル  ８１…装着凹部  ８５…パネル本体  ８８…操作部  ８９…表示部  １０５…（パネル本体８５の）上面板  １０５Ａ…被掛止部  １０９…取付板  １２０…支持フレーム（フレーム）  １２１…ヒンジピン（ヒンジ）  １２６…（支持フレーム１２０の）前面板  １２７…掛止部
【図１】
0005198084.tif 000002
【図２】
0005198084.tif 000003
【図３】
0005198084.tif 000004
【図４】
0005198084.tif 000005
【図５】
0005198084.tif 000006
【図６】
0005198084.tif 000007
【図７】
0005198084.tif 000008
【図８】
0005198084.tif 000009
【図９】
0005198084.tif 000010
【図１０】
0005198084.tif 000011
【図１１】
0005198084.tif 000012
【図１２】
0005198084.tif 000013
【図１３】
0005198084.tif 000014
【図１４】
0005198084.tif 000015
【図１５】
0005198084.tif 000016
【図１６】
0005198084.tif 000017
【図１７】
0005198084.tif 000018